(57)【要約】  本発明は広帯域幅システム物理アップリンク制御チャネルの方法を提案し、動態スケジューリングのPDSCHが対応するアップリンクにおいてHARQ-ACKを伝送するPUCCH資源が所在するアップリンクコンポーネントキャリア周波数の索引番号は、PDSCHをスケジューリングするPDCCHが所在するタウンリンクコンポーネントキャリア周波数索引番号によりマッピングして得られ、或は1つの固定値であり、或は上位層シグナリング又は物理層シグナリングにより通知されて得られ、半静態スケジューリングにおいてPDSCHが所在するタウンリンクコンポーネントキャリア周波数索引番号によってマッピングして得られ、或は上位層シグナリングにより通知され、広帯域幅システム物理アップリンク制御チャネルを指示することを実現する。本発明にかかわる方法は、LTE-AdvancedシステムとLTE Release-8システムとの互換性を保障でき、LTE-Advancedシステムのシステム容量とスケジューリングの柔軟性を向上することに有益で、LTE-Advanced端末に最大の周波数選択性ゲインを取得させる。
2012514397.tif 000002
【特許請求の範囲】
【請求項１】
動態スケジューリングの物理タウンリンク共有チャネルPDSCH対応の、アップリンクにおいてハイブリッド自動再送要求確認HARQ-ACKを伝送する物理アップリンク制御チャネルPUCCH資源が所在するアップリンクコンポーネントキャリア周波数の索引番号は、該PDSCHをスケジューリングする物理タウンリンク制御チャネルPDCCHが所在するタウンリンクコンポーネントキャリア周波数索引番号によりマッピングして得られ、或は1つの固定値であり、或は上位層シグナリング又は物理層シグナリングにより通知されて得られることを含み、
それにより広帯域幅システム物理アップリンク制御チャネルを指示することを実現する、
広帯域幅システム物理アップリンク制御チャネルの方法。
【請求項２】
前記アップリンクコンポーネントキャリア周波数の索引番号は前記タウンリンクコンポーネントキャリア周波数索引番号によりマッピングして得られるステップは、
前記アップリンクコンポーネントキャリア周波数の索引番号が前記タウンリンクコンポーネントキャリア周波数索引番号と一致であり、或は、前記アップリンクコンポーネントキャリア周波数の索引番号が前記タウンリンクコンポーネントキャリア周波数索引番号に1つのオフセット量を足して得られることである請求項1に記載の方法。
【請求項３】
前記オフセット量は上位層シグナリング又は物理層シグナリングにより通知されて得られる請求項2に記載の方法。
【請求項４】
前記PDSCHが対応する、アップリンクにおいて前記HARQ-ACKを伝送するPUCCH資源が前記アップリンクコンポーネントキャリア周波数における索引は、該PDSCHをスケジューリングするPDCCHの一番目或は最後一つの制御チャネルユニットCCE索引によってマッピングして得られ、或は該PDSCHをスケジューリングするPDCCHの一番目又は最後ひとつのCCE索引に1つのオフセット値を足してマッピングして得られることをさらに含む請求項1に記載の方法。
【請求項５】
前記PDSCHが対応する、アップリンクにおいて前記HARQ-ACKを伝送するPUCCH資源が前記アップリンクコンポーネントキャリア周波数における索引を得られるマッピングステップでは、前記索引は下記式
【数１】
2012514397.tif 000075
或は
【数２】
2012514397.tif 000076
により確定され、そのなか、
【数３】
2012514397.tif 000077
は前記PUCCH資源が前記アップリンクコンポーネントキャリア周波数における索引であり、
【数４】
2012514397.tif 000078
は該PDSCHをスケジューリングするPDCCHの一番目又は最後一つのCCE索引であり、
【数５】
2012514397.tif 000079
は上位層により配置され、
【数６】
2012514397.tif 000080
は前記オフセット値である請求項4に記載の方法。
【請求項６】
前記PDSCHが対応する、アップリンクにおいて前記HARQ-ACKを伝送するPUCCH資源が前記アップリンクコンポーネントキャリア周波数における索引はブロックインターリーブマッピングによって得られることをさらに含む請求項1に記載の方法。
【請求項７】
前記ブロックインターリーブマッピングのステップは以下を含み、
第j個目のタウンリンクコンポーネントキャリア周波数にフィードバックする必要があるスケジューリングサブフレームに対して、前記タウンリンクコンポーネントキャリア周波数のPUCCH資源は第i個目のアップリンクコンポーネントキャリア周波数にあり、
前記タウンリンクコンポーネントキャリア周波数のPUCCH資源が前記アップリンクコンポーネントキャリア周波数における索引の計算方法は、
端末は先に{0,1,2,3}から1つの値を選択し
【数７】
2012514397.tif 000081
とし、条件
【数８】
2012514397.tif 000082
を満足させ、そのなか、
【数９】
2012514397.tif 000083
は第j個目のタウンリンクコンポーネントキャリア周波数フィードバックウィンドウ内において端末にスケジューリングする最後一つのタウンリンクサブフレームのPDCCHが所在する一番目のCCEの索引であり、
【数１０】
2012514397.tif 000084
、即ち、フィードバックウィンドウ内に第j個目のタウンリンクコンポーネントキャリア周波数がPDCCHを含み且つ前記第j個目のタウンリンクコンポーネントキャリア周波数の符号数がPjである際に占めたCCE数であり、
【数１１】
2012514397.tif 000085
はフィードバックウィンドウ内第j個目のタウンリンクコンポーネントキャリア周波数がPDCCHを含み且つ前記第j個目のタウンリンクコンポーネントキャリア周波数の符号数が
【数１２】
2012514397.tif 000086
である際に占めたCCE数であり、
【数１３】
2012514397.tif 000087
は第j個目のタウンリンクコンポーネントキャリア周波数の資源ブロック数であり、
【数１４】
2012514397.tif 000088
は各資源ブロックが占めた周波数キャリヤ数であり、PUCCH資源の該アップリンクコンポーネントキャリア周波数における索引は
【数１５】
2012514397.tif 000089
、或は
【数１６】
2012514397.tif 000090
、そのなか、Mjは第j個目のタウンリンクコンポーネントキャリア周波数フィードバックウィンドウが対応するサブフレーム数であり、mjは第j個目のタウンリンクコンポーネントキャリア周波数フィードバックウィンドウ内において基地局が端末にスケジューリングする最後ひとつのサブフレームがフィードバックウィンドウ内における全てのサブフレームの中の位置索引であり、
【数１７】
2012514397.tif 000091
は1つのオフセット値である請求項6に記載の方法。
【請求項８】
前記オフセット値は上位層シグナリング又は物理層シグナリングにより通知され、或は、前記オフセット値が
【数１８】
2012514397.tif 000092
、そのなか、
【数１９】
2012514397.tif 000093
が固定値であり、dは該PDSCHをスケジューリングするPDCCH所在のタウンリンクコンポーネントキャリア周波数が前記アップリンクコンポーネントキャリア周波数対応するk個のタウンリンクコンポーネントキャリア周波数における論理シリアルナンバーである請求項4、5或は7に記載の方法。
【請求項９】
前記ブロックインターリーブマッピングのステップは、
前記PDSCHをスケジューリングするPDCCHが所在するタウンリンクコンポーネントキャリア周波数において先に周波数領域後に時間領域の順番に従って全てのCCEを縦続接続し、
該タウンリンクコンポーネントキャリア周波数においてPDCCH最大の符号数に従って縦続接続したCCEを均一に若干のセクションに分け、その中、最後の一つのセクションの長さが前の各セクションの長さより大きくない、
セクションに分けられるCCEに上位層或は物理層シグナリングが通知した1つのオフセット量を足して、前記PDSCHが対応する、アップリンクにおいてHARQ-ACKを伝送するPUCCH資源が前記アップリンクコンポーネントキャリア周波数における索引をマッピングして得られることを含む請求項6に記載の方法。
【請求項１０】
広帯域幅システム物理アップリンク制御チャネルの方法であって、
半静態スケジューリングする物理タウンリンク共有チャネルPDSCHが対応する、アップリンクにおいてハイブリッド自動再送要求確認HARQ-ACKを伝送する物理アップリンク制御チャネルPUCCH資源が所在するアップリンクコンポーネントキャリア周波数の索引番号は該PDSCHが所在するタウンリンクコンポーネントキャリア周波数索引番号によりマッピングして得られ、或は上位層シグナリングにより通知されて得られることを含み、
それにより広帯域幅システム物理アップリンク制御チャネルを指示することを実現する、
広帯域幅システム物理アップリンク制御チャネルの方法。
【請求項１１】
前記アップリンクコンポーネントキャリア周波数の索引番号は前記タウンリンクコンポーネントキャリア周波数索引番号によりマッピングして得られるステップは、
前記アップリンクコンポーネントキャリア周波数の索引番号が前記タウンリンクコンポーネントキャリア周波数の索引番号と一致であり、或は、前記アップリンクコンポーネントキャリア周波数の索引番号が前記タウンリンクコンポーネントキャリア周波数索引番号に1つのオフセット量を足して得られることである請求項10に記載の方法。
【請求項１２】
前記オフセット量は上位層シグナリングにより通知される請求項11に記載の方法。
【請求項１３】
前記PDSCHが対応する、アップリンクにおいてHARQ-ACKを伝送するPUCCH資源が前記アップリンクコンポーネントキャリア周波数における索引は上位層シグナリングにより通知されて得られることをさらに含む請求項10ないし12の何れかに記載の方法。
【発明の詳細な説明】
【技術分野】
【０００１】
本発明は移動無線通信分野に関し、特に広帯域幅無線通信システムにおける物理アップリンク制御チャネルの方法に関する。
【背景技術】
【０００２】
図1はLTE(Long Term Evolution,ロング・ターム・エボリューション)システムFDD(Frequency Division Duplex、周波数分割二重)モードとTDD(Time Division Duplex、時分割二重)モードのフレーム構造を示す。FDDモードのフレーム構造には、1つの10msのradio frame(無線フレーム)は20個の長さが0.5ms、番号が0〜19であるslot(タイムスロット)からなり、タイムスロット2iと2i+lは長さが1msであるsub frame(サブフレーム)iを構成する。TDDモードのフレーム構造では、1つの10msのradio frame(無線フレーム)は2つの長さが5msであるhalf frame(ハーフフレーム))からなり、1つのハーフフレームは5つの長さが1msであるsub frame(サブフレーム)を含む。サブフレームiは2つの長さが0.5msであるタイムスロット2iと2i+lと定義される。2つのフレーム構造において、Normal CP(Normal Cyclic Prefix、ノーマル・サイクリックプレフィックス)に対して、1つのタイムスロットは7つの長さが66.7μsである符号を含み、その中、一番目の符号のCP長さが5.21μsであり、他の6個の符号のCP長さが4.69μsであり、Extended(Extended、拡張)CPに対して、1つのタイムスロットは6つの符号を含み、全ての符号のCP長さがいずれも16.67μsである。
【０００３】
LTEはPDCCH(Physical downlink control channel、物理タウンリンク制御チャネル)がスケジューリング配分と他の制御情報を積載すると定義し、PCFICH(Physical control format indicator channel、物理制御フォーマット・インジケータチャネル)は1つのサブフレーム内に積載され、PDCCHのOFDM(Orthogonal Frequency Division Multiplexing、直交周波数分割多重)符号の数量情報を伝達することに用いられ、サブフレームの一番目OFDM符号にて送信され、所在の周波数位置はシステムタウンリンク帯域幅とセルIDにより決められる。各のPDCCHは若干のCCE(Control Channel Element、制御チャネルユニット)からなり、各のサブフレームのCCE数量はPDCCHの数量とタウンリンク帯域幅により決められる。各サブフレームのCCEは先に周波数領域後に時間領域の順番に従って番号を付けてインデックスされる。
【０００４】
LTE Release-8は1.4MHz、3MHz、5MHz、10MHz、15MHz、及び20MHzの6つの帯域幅を定義した。
【０００５】
LTE-Advanced(Further Advancements for E-UTRA)はLTE Release-8の進化版である。3GPP  TR  25.913:「Requirements  for  Evolved  UTRA(E-UTRA)and Evolved UTRAN(E-UTRAN)」の全ての関連需求を満足し、或は超えるほかに、ITU-R(ITU-Radio communications sector、国際電気通信連合無線通信部門)により提出されたIMT-Advancedの需求も達し、或は超える必要がある。LTE-AdvancedはLTE Release-8との下位互換性の需求を満足する必要があり、該需求とは、LTE Release-8の端末がLTE-Advancedのネットワークの中に動作し、LTE-Advancedの端末がLTE Release-8のネットワークの中に動作することができることである。
【０００６】
また、より高い性能と目標ピークレートを達するように、LTE-Advancedはサイズが異なる周波数スペクトル配置、LTE Release-8より広い周波数スペクトル配置（例えば、100MHzの連続的な周波数スペクトル資源）で動作することができるべきである。LTE-AdvancedネットワークはLTEユーザーにアクセスできる必要があるので、その操作周波数帯域は現在のLTE周波数帯域を覆う必要がある。該周波数領域には分配可能な連続的な100MHzの周波数スペクトル帯域幅はもう存在しなかったため、LTE-Advancedは複数の異なる周波数領域に分散している連続的なコンポーネントキャリア周波数（周波数スペクトル）（Component carrier）を凝集してLTE-Advancedが使用できる100MHz帯域幅を形成するという直接な技術を解決する必要がある。即ち、凝集した周波数スペクトルに対して、n個のコンポーネントキャリア周波数（周波数スペクトル）に分けられ、各のコンポーネントキャリア周波数（周波数スペクトル）内の周波数スペクトルが連続である。
【０００７】
図2に示すように、周波数スペクトル配置案は主に3つがある。その中、グリッド部はLTE Release-8と互換性のあるシステム帯域幅であり、斜線部はLTE-Advancedの独占的なシステム帯域幅である。図2aは周波数スペクトル配置案1であり、LTE-Advanced周波数スペクトル配置が1つのLTE-Advancedにより定義されたシステム帯域幅からなり、且つ、該帯域幅がLTE Release-8により定義されたシステム帯域幅より大きいであることを意味する。図2bは周波数スペクトル配置案2であり、LTE-Advanced周波数スペクトル配置はLTE Release-8により定義されたシステム帯域幅と複数のLTE-Advancedにより定義されたシステム帯域幅が周波数スペクトル凝集（carrier  aggregation） によって構成されることを意味する。図2cは周波数スペクトル配置案3であり、LTE-Advanced周波数スペクトル配置は複数のLTE Release-8により定義されたシステム帯域幅が周波数スペクトル凝集（carrier  aggregation）によって構成されることを意味し、その中、前記周波数スペクトルの凝集は連続的な周波数スペクトルの凝集であってもよく、非連続的な周波数スペクトルの凝集であってもよい。LTE Release-8端末はLTE Release-8を互換する周波数帯域にアクセスでき、LTE-Advanced端末はLTE Release-8が互換できる周波数帯域にアクセスできるだけでなく、LTE-Advancedの周波数帯域にもアクセスできることを意味する。
【０００８】
LTE Release-8的との互換性を考えると、LTE-Advancedの各コンポーネントキャリア周波数はいずれもLTEユーザーにアクセスできることを満足する必要があり、これは各のコンポーネントキャリア周波数におけるチャネル構造がLTEと一致性をできるだけ保持するのを保障する必要がある。
【０００９】
従来、LTE-AdvancedはFDDデュプレックスモードで、アップリンクとタウンリンクの使用可能なコンポーネントキャリア周波数の数が異なる可能性が高く、このようにして、各のタウンリンクコンポーネントキャリア周波数はアップリンク制御チャネルPUCCH(Physical  Uplink  Control  Channel、物理アップリンク制御チャネル)に一々対応することができなく、LTEにおいて設計したPUCCH資源索引は正確的に動作できない。
【００１０】
従来、LTE FDDデュプレックスモードで、動態スケジューリングするPDSCH(Physical  Downlink  Shared  Channel、物理タウンリンク共有チャネル)において設計した、HARQ-ACK(ハイブリッド自動再送要求確認)をアップリンク伝達するPUCCH資源索引はスケジューリングしたタウンリンクサブフレームにおいて該ユーザーに分配したPDCCHの最小のCCEによってサーブレットマッピングされるのである。即ち、
【００１１】
【数１】
2012514397.tif 000003
【００１２】
であり、その中、
【００１３】
【数２】
2012514397.tif 000004
【００１４】
はユーザーがHARQ-ACKを送信するPUCCH資源索引であり、
【００１５】
【数３】
2012514397.tif 000005
【００１６】
は転送PDCCH対応の一番目のCCE索引であり、
【００１７】
【数４】
2012514397.tif 000006
【００１８】
は上位層により配置される。半静態スケジューリングするPDSCHに対して、
【００１９】
【数５】
2012514397.tif 000007
【００２０】
は上位層により配置される。
【００２１】
LTE  TDDデュプレックスモード動態スケジューリングするPDSCHに対して、HARQ-ACKをアップリンク伝送するPUCCH資源索引はスケジューリングしたタウンリンクサブフレームにおいて該ユーザーに分配したPDCCHのCCEによってブロックインターリーブを経た後得られた。TDDモードで1つの無線フレームにおいてタウンリンクサブフレーム数がアップリンクサブフレーム数より多い配置が存在する可能性があるため、同一のアップリンクサブフレームの中に複数のタウンリンクサブフレームのフィードバック情報を送信することが存在する可能性があるので、フィードバックウィンドウの概念を定義した。フィードバックウィンドウ、即ち、アップリンクサブフレームが対応する全てのタウンリンクサブフレーム（該「対応」とは、これらのタウンリンクサブフレームはいずれも該アップリンクサブフレームにおいて確認情報をフィードバックする）。
【００２２】
LTE  TDDに対してPUCCH資源をブロックインターリーブマッピングする方法を採用し、そのPUCCH資源索引の計算方法は次の通りであり、端末は先に{0,1,2,3}から1つの値を選択してpとし、条件
【００２３】
【数６】
2012514397.tif 000008
【００２４】
を満足させ、そのなか、
【００２５】
【数７】
2012514397.tif 000009
【００２６】
はフィードバックウィンドウ内に端末にスケジューリングする最後1つのタウンリンクサブフレームのPDCCHが所在する一番目のCCEの索引であり、
【００２７】
【数８】
2012514397.tif 000010
【００２８】
,即ち、該ウィンドウ内にPDCCHを含み、且つその符号数がpである際に占めたCCE数であり、
【００２９】
【数９】
2012514397.tif 000011
【００３０】
はシステム帯域幅内におけるタウンリンクRB(Resource  Block、資源ブロック)の数であり、
【００３１】
【数１０】
2012514397.tif 000012
【００３２】
は各のRBが占めた周波数キャリヤ数であり、
【００３３】
【数１１】
2012514397.tif 000013
【００３４】
、そのなか、Mはフィードバックウィンドウが対応するサブフレーム数であり、mはフィードバックウィンドウ内に基地局が端末にスケジューリングする最後1つのサブフレームがフィードバックウィンドウ内における全てのサブフレームの中の位置索引であり、
【００３５】
【数１２】
2012514397.tif 000014
【００３６】
は上位層シグナリングにより通知され、半静態分配に用意しておいたPUCCH資源数である。そのマッピング関係模式図は図3に示す。
【００３７】
LTE-Advancedがキャリア周波数凝集を取り入れるため、複数のタウンリンクコンポーネントキャリア周波数における各PDSCHにより伝達した業務チャネルが対応するHARQ-ACKは1つまたは複数のアップリンクコンポーネントキャリア周波数にどのように索引するかの問題がある。LTE-Advancedシステムはアップリンクとタウンリンク（FDDデュプレックスモード）コンポーネントキャリア周波数数が異なることを支持できる可能性あるので、複数のタウンリンクコンポーネントキャリア周波数を取り入れ、1つのアップリンクコンポーネントキャリア周波数に対応してフィードバックする。このようにして、LTE Release-8に対する互換性を保持するPUCCH資源マッピング方法を設計する必要がある。
【発明の概要】
【発明が解決しようとする課題】
【００３８】
本発明は解決しようとする技術課題が、LTE-Advancedに適用するPUCCHの指示方法を提供し、LTE-AdvancedシステムとLTE Release-8システムとの互換性を保障でき、LTE-Advanced端末に最大の周波数選択性ゲインを取得させることである。
【課題を解決するための手段】
【００３９】
前記課題を解決するために、本発明は広帯域幅システム物理アップリンク制御チャネルの方法を提案し、前記方法は、
動態スケジューリングの物理タウンリンク共有チャネルPDSCH対応の、アップリンクにおいてハイブリッド自動再送要求確認HARQ-ACKを伝送する物理アップリンク制御チャネルPUCCH資源が所在するアップリンクコンポーネントキャリア周波数の索引番号は、該PDSCHをスケジューリングする物理タウンリンク制御チャネルPDCCHが所在するタウンリンクコンポーネントキャリア周波数索引番号によりマッピングして得られ、或は1つの固定値であり、或は上位層シグナリング又は物理層シグナリングにより通知されて得られることを含み、
それにより広帯域幅システム物理アップリンク制御チャネルを指示することを実現する。
【００４０】
さらに、前記方法中に、前記アップリンクコンポーネントキャリア周波数の索引番号は前記タウンリンクコンポーネントキャリア周波数索引番号によりマッピングして得られるステップは、
前記アップリンクコンポーネントキャリア周波数の索引番号が前記タウンリンクコンポーネントキャリア周波数索引番号と一致であり、或は、前記アップリンクコンポーネントキャリア周波数の索引番号が前記タウンリンクコンポーネントキャリア周波数索引番号に1つのオフセット量を足して得られることである。
【００４１】
さらに、前記方法中に、前記オフセット量は上位層シグナリング又は物理層シグナリングにより通知されて得られる。
【００４２】
さらに、前記方法は、
前記PDSCHが対応する、アップリンクにおいて前記HARQ-ACKを伝送するPUCCH資源が前記アップリンクコンポーネントキャリア周波数における索引は、該PDSCHをスケジューリングするPDCCHの一番目或は最後一つの制御チャネルユニットCCE索引によってマッピングして得られ、或は該PDSCHをスケジューリングするPDCCHの一番目又は最後ひとつのCCE索引に1つのオフセット値を足してマッピングして得られることをさらに含む。
【００４３】
さらに、前記方法中に、
前記PDSCHが対応する、アップリンクにおいて前記HARQ-ACKを伝送するPUCCH資源が前記アップリンクコンポーネントキャリア周波数における索引を得られるマッピングステップでは、前記索引は下記式
【００４４】
【数１３】
2012514397.tif 000015
【００４５】
或は
【００４６】
【数１４】
2012514397.tif 000016
【００４７】
により確定され、そのなか、
【数１５】
2012514397.tif 000017
【００４８】
は前記PUCCH資源が前記アップリンクコンポーネントキャリア周波数における索引であり、
【００４９】
【数１６】
2012514397.tif 000018
【００５０】
は該PDSCHをスケジューリングするPDCCHの一番目又は最後一つのCCE索引であり、
【００５１】
【数１７】
2012514397.tif 000019
【００５２】
は上位層により配置され、
【００５３】
【数１８】
2012514397.tif 000020
【００５４】
は前記オフセット値である。
【００５５】
さらに、前記方法は、
前記PDSCHが対応する、アップリンクにおいて前記HARQ-ACKを伝送するPUCCH資源が前記アップリンクコンポーネントキャリア周波数における索引はブロックインターリーブマッピングによって得られることをさらに含む。
【００５６】
さらに、前記方法中に、前記ブロックインターリーブマッピングのステップは、
第j個目のタウンリンクコンポーネントキャリア周波数にフィードバックする必要があるスケジューリングサブフレームに対して、前記タウンリンクコンポーネントキャリア周波数のPUCCH資源は第i個目のアップリンクコンポーネントキャリア周波数にあり、
前記タウンリンクコンポーネントキャリア周波数のPUCCH資源が前記アップリンクコンポーネントキャリア周波数における索引の計算方法は、
端末は先に{0,1,2,3}から1つの値を選択し
【００５７】
【数１９】
2012514397.tif 000021
【００５８】
とし、条件
【００５９】
【数２０】
2012514397.tif 000022
【００６０】
を満足させ、そのなか、
【００６１】
【数２１】
2012514397.tif 000023
【００６２】
は第j個目のタウンリンクコンポーネントキャリア周波数フィードバックウィンドウ内において端末にスケジューリングする最後一つのタウンリンクサブフレームのPDCCHが所在する一番目のCCEの索引であり、
【００６３】
【数２２】
2012514397.tif 000024
【００６４】
、即ち、フィードバックウィンドウ内に第j個目のタウンリンクコンポーネントキャリア周波数がPDCCHを含み且つ前記第j個目のタウンリンクコンポーネントキャリア周波数の符号数がPjである際に占めたCCE数であり、
【００６５】
【数２３】
2012514397.tif 000025
【００６６】
はフィードバックウィンドウ内第j個目のタウンリンクコンポーネントキャリア周波数がPDCCHを含み且つ前記第j個目のタウンリンクコンポーネントキャリア周波数の符号数が
【００６７】
【数２４】
2012514397.tif 000026
【００６８】
である際に占めたCCE数であり、
【００６９】
【数２５】
2012514397.tif 000027
【００７０】
は第j個目のタウンリンクコンポーネントキャリア周波数の資源ブロック数であり、
【００７１】
【数２６】
2012514397.tif 000028
【００７２】
は各資源ブロックが占めた周波数キャリヤ数であり、PUCCH資源の該アップリンクコンポーネントキャリア周波数における索引は
【００７３】
【数２７】
2012514397.tif 000029
【００７４】
、或は
【００７５】
【数２８】
2012514397.tif 000030
【００７６】
、そのなか、Mjは第j個目のタウンリンクコンポーネントキャリア周波数フィードバックウィンドウが対応するサブフレーム数であり、mjは第j個目のタウンリンクコンポーネントキャリア周波数フィードバックウィンドウ内において基地局が端末にスケジューリングする最後ひとつのサブフレームがフィードバックウィンドウ内における全てのサブフレームの中の位置索引であり、
【００７７】
【数２９】
2012514397.tif 000031
【００７８】
は1つのオフセット値である。
【００７９】
さらに、前記方法中に、
前記オフセット値は上位層シグナリング又は物理層シグナリングにより通知され、或は、前記オフセット値が
【００８０】
【数３０】
2012514397.tif 000032
【００８１】
、そのなか、
【００８２】
【数３１】
2012514397.tif 000033
【００８３】
が固定値であり、dは該PDSCHをスケジューリングするPDCCH所在のタウンリンクコンポーネントキャリア周波数が前記アップリンクコンポーネントキャリア周波数対応するk個のタウンリンクコンポーネントキャリア周波数における論理シリアルナンバーである。
【００８４】
さらに、前記方法中に、前記ブロックインターリーブマッピングのステップは、
前記PDSCHをスケジューリングするPDCCHが所在するタウンリンクコンポーネントキャリア周波数において先に周波数領域後に時間領域の順番に従って全てのCCEを縦続接続し、
該タウンリンクコンポーネントキャリア周波数においてPDCCH最大の符号数に従って縦続接続したCCEを均一に若干のセクションに分け、その中、最後の一つのセクションの長さが前の各セクションの長さより大きくない、
セクションに分けられるCCEに上位層或は物理層シグナリングが通知した1つのオフセット量を足して、前記PDSCHが対応する、アップリンクにおいてHARQ-ACKを伝送するPUCCH資源が前記アップリンクコンポーネントキャリア周波数における索引をマッピングして得られることを含む。
【００８５】
本発明は広帯域幅システム物理アップリンク制御チャネルの方法を提出し、前記方法は、
半静態スケジューリングする物理タウンリンク共有チャネルPDSCHが対応する、アップリンクにおいてハイブリッド自動再送要求確認HARQ-ACKを伝送する物理アップリンク制御チャネルPUCCH資源が所在するアップリンクコンポーネントキャリア周波数の索引番号は該PDSCHが所在するタウンリンクコンポーネントキャリア周波数索引番号によりマッピングして得られ、或は上位層シグナリングにより通知されて得られることを含み、
それにより広帯域幅システム物理アップリンク制御チャネルを指示することを実現する。
【００８６】
さらに、前記方法中に、前記アップリンクコンポーネントキャリア周波数の索引番号は前記タウンリンクコンポーネントキャリア周波数索引番号によりマッピングして得られるステップは、
前記アップリンクコンポーネントキャリア周波数の索引番号が前記タウンリンクコンポーネントキャリア周波数の索引番号と一致であり、或は、前記アップリンクコンポーネントキャリア周波数の索引番号が前記タウンリンクコンポーネントキャリア周波数索引番号に1つのオフセット量を足して得られる。
【００８７】
さらに、前記方法中に、前記オフセット量は上位層シグナリングにより通知される。
【００８８】
さらに、前記方法中に、
前記PDSCHが対応する、アップリンクにおいてHARQ-ACKを伝送するPUCCH資源が前記アップリンクコンポーネントキャリア周波数における索引は上位層シグナリングにより通知されて得られることをさらに含む。
本発明は広帯域幅システム物理アップリンク制御チャネルの指示方法を提案し、LTE-AdvancedシステムとLTE Release-8システムとの互換性を保障でき、LTE-Advancedシステムのシステム容量とスケジューリングの柔軟性を向上することに有益で、LTE-Advanced端末に最大の周波数選択性ゲインを取得させる。
【図面の簡単な説明】
【００８９】
【図１】LTEシステムFDD/TDDモードのフレーム構造模式図。
【図２】LTE-Advancedシステムにおける3つの周波数スペクトル配置案模式図。
【図３】LTEシステムTDDモードがブロックインターリーブを用いる際にCCE索引がPUCCH資源索引へマッピングする模式図。
【発明を実施するための形態】
【００９０】
以下で、実施例を結合して本発明の実施方式を詳細的に説明し、これによって、本発明がどのように技術手段を適用して技術問題を解決し、技術効果に達する実現過程を十分に理解され、それによって実施する。
【００９１】
本発明は、その主旨が以下の通りであり
LTE-Advancedユーザーに対して、動態スケジューリングのPDSCH対応の、それのアップリンクにおいてHARQ-ACKを伝送するPUCCH資源索引が該PDSCHをスケジューリングするPDCCHが所在するタウンリンクコンポーネントキャリア周波数索引番号と該PDCCHの最後ひとつのCCE或は一番目のCCEの索引番号によって共同マッピングし、その中、
該PUCCH資源が所在するアップリンクコンポーネントキャリア周波数の索引番号は該PDSCHをスケジューリングするPDCCHが所在するタウンリンクコンポーネントキャリア周波数索引番号と一致してもよく、或は該PDSCHをスケジューリングするPDCCHが所在するタウンリンクコンポーネントキャリア周波数索引番号に1つの上位層シグナリング又は物理層シグナリングが通知したオフセット量を足して得られ、或は直接に上位層シグナリングまたは物理層シグナリングにより通知され、或は1つの固定値である。
【００９２】
該PUCCH資源が該アップリンクコンポーネントキャリア周波数の索引番号は該PDSCHをスケジューリングするPDCCHの最後ひとつ或は一番目のCCEの索引番号によってマッピングして得られ、或は、該PDSCHをスケジューリングするPDCCHの最後一つ或は一番目のCCEの索引番号に1つの上位層または物理層が通知したオフセット量を足してマッピングして得られ、或は、ブロックインターリーブマッピングによって得られ、具体的なブロックインターリーブマッピング方法は後述の実施例を参照する。
【００９３】
LTE-Advancedユーザーに対して、半静態スケジューリングするPDSCHに対して、対応のHARQ-ACKをアップリンク伝送のPUCCH資源索引は次のような方式でマッピングし、
PUCCH資源が所在するアップリンクコンポーネントキャリア周波数の索引番号は該PDSCHが所在するタウンリンクコンポーネントキャリア周波数索引番号に１つの上位層が通知したオフセット量を足してマッピングし、或は該タウンリンクコンポーネントキャリア周波数索引番号に等しく、或は上位層シグナリングにより通知され、或は固定値である。PUCCH資源が該アップリンクコンポーネントキャリア周波数における索引は上位層シグナリングにより通知される。
【００９４】
LTE-AdvancedがLTEユーザーとの互換が必要あるため、LTE-Advancedが凝集したキャリヤにはLTE周波数領域を含み、LTEユーザーは既に設計したLTE使用のアップ/タウンリンク周波数帯域にLTE-Advancedネットワークをアクセスすることができる。そのとき、LTE-AdvancedネットワークにアクセスしたLTEユーザーアップリンク制御チャネルのマッピング方法はLTEの設計と完全に同じである。
【００９５】
以下で、具体的な実施例によって本発明をさらに詳細的に説明する。
【００９６】
仮に１つのアップリンクコンポーネントキャリア周波数が対応するタウンリンクコンポーネントキャリア周波数の数がkであり、アップリンクの周波数スペクトル凝集を経たコンポーネントキャリア周波数の数がIであり、Iが任意の自然数であり、タウンリンクの周波数スペクトル凝集を経たコンポーネントキャリア周波数の数がJであり、Jが任意の自然数である。
【００９７】
実施例1
LTE-AdvancedはFDDデュプレックスとTDDデュプレックスモードで動作し、
LTE-Advancedユーザーに対して、動態スケジューリングのPDSCHが対応するHARQ-ACKをアップリンク伝送するPUCCH資源索引は、スケジューリングのタウンリンクサブフレームにおける該ユーザーに分配するPDCCHの一番目又は最後一つのCCE索引と該PDSCHをスケジューリングするPDCCHが所在するタウンリンクコンポーネントキャリア周波数索引とを結合して隠してマッピングするのである。
【００９８】
マッピング方法は以下のようにあってもよい、
【００９９】
【数３２】
2012514397.tif 000034
【０１００】
、その中、
【０１０１】
【数３３】
2012514397.tif 000035
【０１０２】
、或は、
【０１０３】
【数３４】
2012514397.tif 000036
【０１０４】
、或は、
【０１０５】
【数３５】
2012514397.tif 000037
【０１０６】
である。
【０１０７】
【数３６】
2012514397.tif 000038
【０１０８】
は、該ユーザーの第j目のタウンリンクコンポーネントキャリア周波数において動態スケジューリングのPDCCHが対応するPUCCH資源が第i目のアップリンクコンポーネントキャリア周波数にあり、及びPUCCH資源がこのコンポーネントキャリア周波数におけるPUCCH資源の索引番号であり、
【０１０９】
【数３７】
2012514397.tif 000039
【０１１０】
は、該ユーザーの動態スケジューリングの第j目のタウンリンクコンポーネントキャリア周波数においてPDCCHを伝達するための一番目又は最後一つのCCE索引であり、
【０１１１】
【数３８】
2012514397.tif 000040
【０１１２】
は上位層により配置され、第i個目のアップリンクコンポーネントキャリア周波数が用意しておいたPUCCH資源数を表し、
【０１１３】
【数３９】
2012514397.tif 000041
【０１１４】
がシグナリングにより通知され（上位層或は物理層）、或は、
【０１１５】
【数４０】
2012514397.tif 000042
【０１１６】
が固定値である。即ち、該ユーザーが動態スケジューリングのPDSCHが対応する、HARQ-ACKをアップリンク伝送するPUCCH資源索引が所在するアップリンクコンポーネントキャリア周波数索引番号は該PDSCHをスケジューリングするPDCCHが所在するタウンリンクコンポーネントキャリア周波数索引番号と一致であり、或は上位層シグナリングまたは物理層シグナリングにより通知され、或は、該PDSCHをスケジューリングするPDCCHが所在するタウンリンクコンポーネントキャリア周波数索引番号に１つの上位層シグナリング又は物理層シグナリングにより通知された値Xを足した後、アップリンクコンポーネントキャリア周波数の数をモジュールことによって得られ(即ち、該PDSCHをスケジューリングするPDCCHが所在するタウンリンクコンポーネントキャリア周波数索引番号に１つの上位層或は物理層シグナリングにより通知されたオフセット値を足して得られる)、或は固定値であり、該PUCCH資源が該アップリンクコンポーネントキャリア周波数における索引は該PDSCHをスケジューリングするPDCCHの一番目の或は最後一つのCCE索引に１つの上位層により配置された値
【０１１７】
【数４１】
2012514397.tif 000043
【０１１８】
を足すものである。
【０１１９】
実施例2
k>lであると、即ち、1つのアップリンクコンポーネントキャリア周波数が複数のタウンリンクコンポーネントキャリア周波数に対応する際に、LTE-AdvancedがFDDデュプレックスとTDDデュプレックスモードで動作し、LTE-Advancedユーザーに対して、あるタウンリンクコンポーネントキャリア周波数中に動態スケジューリングのPDSCHが対応する、HARQ-ACKをアップリンク伝送するPUCCH資源が所在するアップリンクコンポーネントキャリア周波数索引は該PDSCHが所在するタウンリンクコンポーネントキャリア周波数索引によって確定され、このアップリンクコンポーネントキャリア周波数におけるPUCCH資源索引はスケジューリングのタウンリンクサブフレームにおけるこのPDSCHが対応するPDCCHの一番目又は最後一つのCCE索引によってマッピングされるのである。
【０１２０】
マッピング方法は以下のようである、
【０１２１】
【数４２】
2012514397.tif 000044
【０１２２】
、そのなか、
【０１２３】
【数４３】
2012514397.tif 000045
【０１２４】
、或は、i=Xである。
【０１２５】
【数４４】
2012514397.tif 000046
【０１２６】
は、該ユーザーの第j目のタウンリンクコンポーネントキャリア周波数において動態スケジューリングのPDCCHが対応するPUCCH資源が第i目のアップリンクコンポーネントキャリア周波数にあり、及びPUCCH資源がこのコンポーネントキャリア周波数におけるPUCCH資源の索引番号であり、
【０１２７】
【数４５】
2012514397.tif 000047
【０１２８】
は、該ユーザーの動態スケジューリングの第j目のタウンリンクコンポーネントキャリア周波数においてPDCCHを伝達するための一番目又は最後一つのCCE索引であり、
【０１２９】
【数４６】
2012514397.tif 000048
【０１３０】
は上位層により配置され、第i目のアップリンクコンポーネントキャリア周波数が用意しておいたPUCCH資源数を表し、
【０１３１】
【数４７】
2012514397.tif 000049
【０１３２】
が上位層シグナリングにより通知され、或は、
【０１３３】
【数４８】
2012514397.tif 000050
【０１３４】
が固定値であり、
【０１３５】
【数４９】
2012514397.tif 000051
【０１３６】
は上位層シグナリング又は物理層シグナリングにより通知されてもよく、或は
【０１３７】
【数５０】
2012514397.tif 000052
【０１３８】
であり、
【０１３９】
【数５１】
2012514397.tif 000053
【０１４０】
が固定値であり、dは前記タウンリンクコンポーネントキャリア周波数がアップリンクコンポーネントキャリア周波数j対応のk個のタウンリンクコンポーネントキャリア周波数における論理シリアルナンバであり、即ち、dは該PDSCHをスケジューリングするPDCCHの所在のタウンリンクコンポーネントキャリア周波数が該アップリンクコンポーネントキャリア周波数対応のk個のタウンリンクコンポーネントキャリア周波数における論理シリアルナンバである。k=1である際に、
【０１４１】
【数５２】
2012514397.tif 000054
【０１４２】
のマッピング方式を採用してもよい。
【０１４３】
実施例3
LTE-AdvancedはTDDデュプレックスモードで動作し、LTE-Advancedユーザーに対して、マッピング方法は、
あるタウンリンクコンポーネントキャリア周波数中に動態スケジューリングのPDSCHが対応する、HARQ-ACKをアップリンク伝送するPUCCH資源が所在するアップリンクコンポーネントキャリア周波数索引は該PDSCHをスケジューリングするPDCCHが所在するタウンリンクコンポーネントキャリア周波数索引によってマッピングして得られるが、該アップリンクコンポーネントキャリア周波数におけるPUCCH資源索引はブロックインターリーブマッピングによって得られることである。
【０１４４】
第j個目のタウンリンクコンポーネントキャリア周波数にフィードバックする必要があるスケジューリングサブフレームに対して、そのPUCCH資源は第i個目のアップリンクコンポーネントキャリア周波数（i=j、或は、i=X、或は、i=(j+X)modIである）にあり、そのPUCCH資源索引の計算方法は次のように、端末は先に{0,1,2,3}から1つの値を選択して
【０１４５】
【数５３】
2012514397.tif 000055
【０１４６】
とし、条件
【０１４７】
【数５４】
2012514397.tif 000056
【０１４８】
を満足させ、そのなか、
【０１４９】
【数５５】
2012514397.tif 000057
【０１５０】
は第j個目のタウンリンクコンポーネントキャリア周波数フィードバックウィンドウ内に端末にスケジューリングする最後一つのタウンリンクサブフレームのPDCCHが所在する一番目のCCEの索引であり、
【０１５１】
【数５６】
2012514397.tif 000058
【０１５２】
であり、即ち、フィードバックウィンドウ内に第j個目のタウンリンクコンポーネントキャリア周波数がPDCCHを含み且つその符号数がPjである際に占めたCCE数であり、
【０１５３】
【数５７】
2012514397.tif 000059
【０１５４】
はフィードバックウィンドウ内に第j個目のタウンリンクコンポーネントキャリア周波数がPDCCHを含み且つその符号数が
【０１５５】
【数５８】
2012514397.tif 000060
【０１５６】
である際に占めたCCE数であり、
【０１５７】
【数５９】
2012514397.tif 000061
【０１５８】
は第j目のタウンリンクコンポーネントキャリア周波数のRB（Resource  Block、資源ブロック）数であり、
【０１５９】
【数６０】
2012514397.tif 000062
【０１６０】
は各のRBが占めた周波数キャリヤ数であると、
【０１６１】
【数６１】
2012514397.tif 000063
【０１６２】
、そのなか、Mjは第j個目のタウンリンクコンポーネントキャリア周波数においてフィードバックウィンドウが対応するサブフレーム数であり、mjは第j個目のタウンリンクコンポーネントキャリア周波数においてフィードバックウィンドウ内に基地局が端末にスケジューリングする最後一つのサブフレームがフィードバックウィンドウ内における全てのサブフレームの中の位置索引であり、Xは上位層或は物理層シグナリングにより通知され、或はXは固定値である。即ち、動態スケジューリングするPDSCHが対応する、HARQ-ACKをアップリンク伝送するPUCCH資源が所在するアップリンクコンポーネントキャリア周波数における索引番号がPDSCHをスケジューリングするPDCCHが所在するタウンリンクコンポーネントキャリア周波数索引番号と一致であり、或は上位層シグナリング又は物理層シグナリングにより通知され、或は該PDSCHをスケジューリングするPDCCHが所在するタウンリンクコンポーネントキャリア周波数索引番号に1つの上位層シグナリング又は物理層シグナリングにより通知された値Xを足した後アップリンクコンポーネントキャリア周波数の数をモジュールことによって得られ（即ち、該PDSCHをスケジューリングするPDCCHが所在するタウンリンクコンポーネントキャリア周波数索引番号に1つの上位層或は物理層シグナリングにより通知されたオフセット値を足することによって得られる）、或は固定値である。該PUCCH資源が該アップリンクコンポーネントキャリア周波数における索引がブロックインターリーブマッピングによって得られることである。
【０１６３】
実施例4
k>lであると、即ち1つのアップリンクコンポーネントキャリア周波数が複数のタウンリンクコンポーネントキャリア周波数に対応する際に、LTE-AdvancedはTDDデュプレックスモードで動作し且つ1つのアップリンクサブフレームが複数のタウンリンクサブフレームの制御情報のフィードバックに対応する。
【０１６４】
アップリンクの周波数スペクトル凝集を経たコンポーネントキャリア周波数の数がIであり、Iが任意の自然数であり、タウンリンクの周波数スペクトル凝集を経たコンポーネントキャリア周波数の数がJであり、Jが任意の自然数であり、I<Jである。
【０１６５】
LTE-Advancedユーザーに対して、マッピング方法は、
あるタウンリンクコンポーネントキャリア周波数中に動態スケジューリングのPDSCHが対応する、HARQ-ACKをアップリンク伝送するPUCCH資源が所在するアップリンクコンポーネントキャリア周波数索引は該PDSCHをスケジューリングするPDCCHが所在するタウンリンクコンポーネントキャリア周波数索引によって確定するが、該アップリンクコンポーネントキャリア周波数におけるPUCCH資源索引はブロックインターリーブマッピングによって得られることである。
【０１６６】
第j目のタウンリンクコンポーネントキャリア周波数にはフィードバックする必要があるスケジューリングサブフレームに対して、そのPUCCH資源は第i目のアップリンクコンポーネントキャリア周波数（i=(j+X)modI、或は、i=Xである）にあり、そのPUCCH資源索引の計算方法は次のように、端末は先に{0,1,2,3}から1つの値を選択し
【０１６７】
【数６２】
2012514397.tif 000064
【０１６８】
とし、条件
【０１６９】
【数６３】
2012514397.tif 000065
【０１７０】
を満足させ、そのなか、
【０１７１】
【数６４】
2012514397.tif 000066
【０１７２】
は第j目のタウンリンクコンポーネントキャリア周波数フィードバックウィンドウ内に端末にスケジューリングする最後一つのタウンリンクサブフレームのPDCCHが所在する一番目のCCEの索引であり、
【０１７３】
【数６５】
2012514397.tif 000067
【０１７４】
即ち、フィードバックウィンドウ内に第j目のタウンリンクコンポーネントキャリア周波数がPDCCHを含み且つその符号数がPである際に占めたCCE数であり、
【０１７５】
【数６６】
2012514397.tif 000068
【０１７６】
は第j目のタウンリンクコンポーネントキャリア周波数のRB（Resource  Block、資源ブロック）数であり、
【０１７７】
【数６７】
2012514397.tif 000069
【０１７８】
は各RBが含む周波数キャリヤ数であり、
【０１７９】
【数６８】
2012514397.tif 000070
【０１８０】
そのなか、Mjは第j目のタウンリンクコンポーネントキャリア周波数においてフィードバックウィンドウが対応するサブフレーム数であり、mjは第j目のタウンリンクコンポーネントキャリア周波数においてフィードバックウィンドウ内に基地局が端末にスケジューリングする最後一つのサブフレームがフィードバックウィンドウ内における全てのサブフレームの中の位置索引であり、Xは上位層シグナリングにより通知され、或は、
【０１８１】
【数６９】
2012514397.tif 000071
【０１８２】
は固定値であり、
【０１８３】
【数７０】
2012514397.tif 000072
【０１８４】
は上位層シグナリングにより通知されてもよく、或は
【０１８５】
【数７１】
2012514397.tif 000073
【０１８６】
であり、
【０１８７】
【数７２】
2012514397.tif 000074
【０１８８】
が固定値であり、dは前記タウンリンクコンポーネントキャリア周波数がアップリンクコンポーネントキャリア周波数jが対応するk個のタウンリンクコンポーネントキャリア周波数における論理シリアルナンバであり、即ち、dは該PDSCHをスケジューリングするPDCCH所在のタウンリンクコンポーネントキャリア周波数が該アップリンクコンポーネントキャリア周波数対応のk個のタウンリンクコンポーネントキャリア周波数における論理シリアルナンバである。
【０１８９】
実施例5
k>lであると、即ち1つのアップリンクコンポーネントキャリア周波数が複数のタウンリンクコンポーネントキャリア周波数に対応する際に、LTE-AdvancedはTDDデュプレックスモードで動作し、且つ1つのアップリンクサブフレームが複数のタウンリンクサブフレームの制御情報のフィードバックに対応してする。
【０１９０】
アップリンクの周波数スペクトル凝集を経たコンポーネントキャリア周波数の数がIであり、Iが任意の自然数である。タウンリンクの周波数スペクトル凝集を経たコンポーネントキャリア周波数の数がJであり、Jが任意の自然数であり、I<Jである。
【０１９１】
LTE-Advancedユーザーに対して、マッピング方法は、
においてタウンリンクコンポーネントキャリア周波数中に動態スケジューリングのPDSCHが対応する、HARQ-ACKをアップリンク伝送するPUCCH資源が所在するアップリンクコンポーネントキャリア周波数の索引は該PDSCHをスケジューリングするPDCCHが所在するタウンリンクコンポーネントキャリア周波数索引に1つの上位層或は物理層シグナリングより通知されたオフセット量を足することによって確定され、或は上位層或は物理層シグナリングにより直接に通知され、該アップリンクコンポーネントキャリア周波数におけるPUCCH資源索引はブロックインターリーブマッピングによって得られることである。
該ブロックインターリーブのフローは、該PDCCHが所在するタウンリンクコンポーネントキャリア周波数において先に周波数領域後に時間領域の順番に従って全てのCCEを縦続接続し、次に、該タウンリンクコンポーネントキャリア周波数におけるPDCCH最大の符号数に従って縦続接続したCCEを均一に若干の部分に分け、最後の部分の長さが前の各部分の長さの以下であり、即ち、複数のCCEは同一のPUCCH資源にマッピングし、最後に部分に分けられるCCEに1つの上位層或は物理層シグナリングが通知したオフセット量を足し、前記PDSCHが対応のHARQ-ACKをアップリンク伝送するPUCCH資源が前記アップリンクコンポーネントキャリアにおける索引をマッピングして得られる。
【０１９２】
実施例6
LTE-Advancedユーザーに対して、半静態スケジューリングのPDSCHに対して、対応するHARQ-ACKをアップリンク伝送するPUCCH資源が所在するアップリンクコンポーネントキャリア周波数の索引番号は該PDSCHが所在するタウンリンクコンポーネントキャリア周波数の索引番号に１つの上位層シグナリングが通知したオフセット量を足してマッピングして得られる。対応する該アップリンクコンポーネントキャリア周波数においてHARQ-ACKを伝送するPUCCH資源索引は上位層シグナリングにより通知される。
【０１９３】
実施例7
LTE-Advancedユーザーに対して、半静態スケジューリングのPDSCHに対して、対応するHARQ-ACKをアップリンク伝送するPUCCH資源が所在するアップリンクコンポーネントキャリア周波数の索引番号は上位層シグナリングにより通知される。対応する該アップリンクコンポーネントキャリア周波数においてHARQ-ACKを伝送するPUCCH資源索引は上位層シグナリングにより通知される。
【０１９４】
実施例8
LTE-Advancedユーザーに対して、半静態スケジューリングするPDSCHに対して、対応するHARQ-ACKをアップリンク伝送するPUCCH資源が所在するアップリンクコンポーネントキャリア周波数の索引番号は該PDSCHが所在するタウンリンクコンポーネントキャリア周波数索引によってマッピングして得られ（i=j、或は、i=X、或は、i=(j+X)modIである）。対応する該アップリンクコンポーネントキャリア周波数においてHARQ-ACKを伝送するPUCCH資源索引は上位層シグナリングにより通知され、Xは上位層シグナリングにより通知され、或は、Xは固定値であり、即ち半静態スケジューリングするPDSCHが対応する、HARQ-ACKをアップリンク伝送するPUCCH資源が所在するアップリンクコンポーネントキャリア周波数の索引番号は該PDSCHが所在するタウンリンクコンポーネントキャリア周波数の索引番号と一致であり、或は固定値であり、或は該PDSCHが所在するタウンリンクコンポーネントキャリア周波数索引番号に1つの上位層シグナリング通知したオフセット量を足し、マッピングして得られる。
【０１９５】
本発明は広帯域幅システムにおけるアップリンク制御チャネルのマッピング方法を提案し、LTE-AdvancedシステムとLTE Release-8システムとの互換性を保障でき、LTE-Advancedシステムのシステム容量とスケジューリングの柔軟性を向上することに有益で、LTE-Advanced端末に最大の周波数選択性ゲインを取得させる。
【０１９６】
以上は本発明の実施例に過ぎないもので、本発明を限定するためのものではなく、当業者にとっては、本発明は各種類の変更と変化が可能で、本発明が応用されたシステムはLTE-Advancedシステムに限らず、本発明の精神及び原則内においてなされた任意の修正、同等置き換え、改良などは本発明の保護範囲に含まれるべきである。
【産業上の利用可能性】
【０１９７】
本発明は広帯域幅システムにおける物理アップリンク制御チャネルの指示方法を提案し、LTE-AdvancedシステムとLTE Release-8システムとの互換性を保障でき、LTE-Advancedシステムのシステム容量とスケジューリングの柔軟性を向上することに有益で、LTE-Advanced端末を最大の周波数選択性ゲインを取得させる。
【図１】
2012514397.tif 000094
【図２】
2012514397.tif 000095
【図３】
2012514397.tif 000096
【国際調査報告】
2012514397.tif 000097
2012514397.tif 000098
2012514397.tif 000099
2012514397.tif 000100